(57)【特許請求の範囲】
【請求項１】
移動側メンバーが固定側メンバーに収納された状態で、固定側メンバーにもうけられた保持部材が、移動側メンバーに対する保持力を調整する保持力調整手段を有するスライドレールの収納時保持装置において、保持部材は、固定側メンバーの後端部に連結される連結基部と、連結基部側より前方に突出して移動側メンバーの摺動面に対向して位置し、所定の弾性を有する保持脚部より構成され、保持力調整手段は、対向する保持脚部の弾性基点を移動側メンバーの摺動方向で選択可能とした脚部保持部材と、脚部保持部材を所定位置で維持する保持機構を有し、保持脚部は、弾性脚体と、弾性脚体の前端部に位置し、移動側メンバーが固定側メンバーに収納された状態で、移動側メンバーの摺動面の後端部に形成された係合凹部に係合する係合突起より構成され、脚部保持部材は、操作用基部と操作用基部の両端部に連設され弾性脚体の外側に位置する脚体押さえ突部より構成され、保持機構は連結基部と所定の間隔を持って弾性脚体に形成された嵌合凹部と、脚体押さえ突部に形成された嵌合凹部に嵌合する嵌合突部より構成されている事を特徴とするスライドレールの収納装置。
【請求項２】
脚部保持部材は、操作用基部と操作用基部の両端部に連設され弾性脚体の外側に位置する脚体押さえ突部より構成され、保持機構は連結基部と所定の間隔を持って保持部材の取付基板に形成された段階凹部と、操作用基部に形成された段階凹部に嵌合する嵌合突条より構成されている事を特徴とする請求項１に記載のスライドレールの収納装置
【発明の詳細な説明】
【技術分野】
【０００１】
本発明は、複写機の内部機器や家具等の抽斗を本体内に収納した時、床面の状態や本体の移動時に抽斗等が飛び出すのを防止するスライドレールの収納時保持装置に関するものである。
【背景技術】
【０００２】
従来、移動側メンバーが固定側メンバーに収納された状態で、固定側メンバーの後端部に設けられた保持部材によって、移動側メンバーの収納状態が保持されるスライドレールの収納時保持装置において、前記保持部材は、固定側メンバーと連結される連結基部と、移動側メンバーの摺動面の外方に位置して、連結基部側より前方に突出する係合脚部が合成樹脂材にて一体に形成され、係合脚部は弾性脚体と、弾性脚体の前端部に位置し、移動側メンバーが固定側メンバーに収納された状態で、移動側メンバーの摺動面の後端部に形成された係合凹部に係合する係合突起を有しているものがある。（例えば特許文献１参照。）
【０００３】
この場合、合成樹脂材にて形成された係合脚部の保持力は、使用材料、外形寸法が同じであれば連結基部からの突出量と、移動側メンバーの摺動面の後端部に形成された係合凹部と係合凹部に係合する係合突起の形状によって決定される。
従って、スライドレールとして製品が完成した後は、スライドレールの使用目的、あるいは使用機器に応じて、移動側レールの保持力をかえることが出来なかった。
【０００４】
【特許文献１】特開２００３−４７５３３号公報（第４−５頁、図３、図５、図７）
【発明の開示】
【発明が解決しようとする課題】
【０００５】
本発明は、スライドレールとして製品が完成した後、使用目的等に応じて簡単に保持力の強弱を変化させる事ができ、保持部材の汎用性を広げ、製造過程で保持力の調整を必要としないスライドレールの収納時保持装置を提供することを課題とする。
【課題を解決するための手段】
【０００６】
そこで、上記課題を解決する為、本発明が第１の手段として構成したところは、移動側メンバーが固定側メンバーに収納された状態で、固定側メンバーにもうけられた保持部材が、移動側メンバーに対する保持力を調整する保持力調整手段を有するスライドレールの収納時保持装置において、保持部材は、固定側メンバーの後端部に連結される連結基部と、連結基部側より前方に突出して移動側メンバーの摺動面に対向して位置し、所定の弾性を有する保持脚部より構成され、保持力調整手段は、対向する保持脚部の弾性基点を移動側メンバーの摺動方向で選択可能とした脚部保持部材と、脚部保持部材を所定位置で維持する保持機構を有し、保持脚部は、弾性脚体と、弾性脚体の前端部に位置し、移動側メンバーが固定側メンバーに収納された状態で、移動側メンバーの摺動面の後端部に形成された係合凹部に係合する係合突起より構成され、脚部保持部材は、操作用基部と操作用基部の両端部に連設され弾性脚体の外側に位置する脚体押さえ突部より構成され、保持機構は連結基部と所定の間隔を持って弾性脚体に形成された嵌合凹部と、脚体押さえ突部に形成された嵌合凹部に嵌合する嵌合突部よりなるものである。
【０００９】
次に、本発明が第２の手段として構成したところは、第１の手段としての構成に加え、脚部保持部材は、操作用基部と操作用基部の両端部に連設され弾性脚体の外側に位置する脚体押さえ突部より構成され、保持機構は連結基部と所定の間隔を持って保持部材の取付基板に形成された段階凹部と、操作用基部に形成された段階凹部に嵌合する嵌合突条より構成されているものである。
【発明の効果】
【００１１】
請求項１に記載の発明によると、保持部材が保持力調整手段を有しているので、使用目的等に応じて簡単に保持力の強弱を変化させる事ができ、保持部材の汎用性を広げ、製造過程で保持力の調整を必要とせず、トータル的なコストの削減につながる。
【００１２】
さらに、前記効果に加え、保持力調整手段は、対向する保持脚部の弾性基点を移動側メンバーの摺動方向で選択可能とした脚部保持部材と保持機構による構成であるから、一定の保持力を維持することができ、保持力の調整は、脚部保持部材を移動側メンバーの摺動方向に移動させるだけの簡単な操作で行う事が出来る。
又、保持脚部は移動側メンバーの摺動面に位置しているので、潤滑用のグリスが、移動用メンバーの摺動に伴って保持脚部にも付着し、保持脚部の磨耗を防止する効果がある。
【００１３】
又、前記効果に加え、保持脚部の係合突起に係合する係合凹部を移動側メンバーの摺動面に形成しているので、抜き出し機能を有するもの、あるいは、そうでない移動側メンバーにも兼用して使用でき、潤滑用のグリスが、移動用メンバーの摺動に伴って係合凹部、係合突起に付着し、それぞれの磨耗を防止する効果がある。
【００１４】
さらに、前記効果に加え、脚部保持部材の脚体押さえ突部は弾性脚体の外側に位置しているので、移動側メンバーが収納されていない状態では、弾性脚体は互いに接近する方向には容易に変移するので、脚部保持部材の移動が簡単におこなえ、保持力の調整が手軽に行える。
又、弾性脚体に嵌合凹部を形成し、嵌合凹部に嵌合する嵌合突部を脚体押さえ突部に設けているので、弾性脚体の弾性の変化によって、嵌合凹部と嵌合突部の嵌合状態が指先だけで知覚することが出来る。
【００１５】
請求項２に記載の発明によると、請求項１に記載の発明の効果に加え、脚部保持部材の脚体押さえ突部は弾性脚体の外側に位置しているので、移動側メンバーが収納されていない状態では、弾性脚体は互いに接近する方向には容易に変移するので、脚部保持部材の移動が簡単におこなえ、保持力の調整が手軽に行える。
又、段階凹部が保持部材の取付基板に、段階凹部に嵌合する嵌合突条が操作用基部に形成されているので、両者を広範囲に渡って形成することが出来、微細な調節が可能である。
【発明を実施するための最良の形態】
【００１６】
移動側メンバーが固定側メンバーに収納された状態で、固定側メンバーにもうけられた保持部材によって、移動側メンバーの収納状態が保持されるスライドレールの収納時保持装置において、保持部材の移動側メンバーに対する保持力を調整する保持力調整手段を保持部材が有しており、保持部材は、固定側メンバーの後端部に連結される連結基部と、連結基部側より前方に突出して移動側メンバーの摺動面に対向して位置する所定の弾性を有する弾性脚体と、弾性脚体の前端部に位置し、移動側メンバーが固定側メンバーに収納された状態で、移動側メンバーの摺動面の後端部に形成された係合凹部に係合する係合突起より構成された保持脚部より構成され、保持力調整手段は、操作用基部と操作用基部の両端部に連設され弾性脚体の外側に位置する脚体押さえ突部より構成された脚部保持部材と、脚部保持部材を所定位置で維持する保持機構を有しているものであり、保持機構は、弾性脚体の弾性基点を移動側メンバーの摺動方向で選択可能とするため、弾性脚体に形成された嵌合凹部に嵌合する嵌合突部を脚体押さえ突部に形成したものである。
【実施例１】
【００１７】
以下、第１実施例を図面に基づいて説明する。
図１、図３において、符号１００はスライドレールを示し、スライドレール１００は、実施例では、固定側メンバー１と、固定側メンバー１に摺動自在に保持された中間メンバー２と、ボールリテーナー４に回転自在に保持されたボール４４・・・を介して、中間メンバー２に摺動自在に保持された移動側メンバー３より構成されている。
【００１８】
すなわち、固定側メンバー１は、基板１０と、上下折曲縁１１、１１よりチャンネル型に形成され、固定側メンバー１のほぼ半分程度の長さとなした合成樹脂製のリテーナー１２・・・に回転自在に保持され、かつ、上下折曲縁１１、１１内面と中間メンバー２の外面間に位置する複数個のボール１３・・・を介して、中間メンバー２を摺動自在に保持している。
そして、固定側メンバー１の基板１０の後端部には、移動側メンバー３の後記する保持部材７が取付られる後端突壁１５（図７）が形成され、基板１０の前端部には前記リテーナー１２の引出し方向への移動範囲を規制するリテーナー前ストッパー（図示せず。）が形成されている。
【００１９】
中間メンバー２は、固定側メンバー１とほぼ同長で、基板２０と上下折曲縁２１、２１より固定側メンバー１と同方向の略チャンネル型に形成され、上下折曲縁２１、２１の外面に、摺動方向に渡って前記ボール１３・・・が転動する外面側ボール摺動溝２２、２２を有し、上下折曲縁２１、２１の内面に、摺動方向に渡ってボール４４・・・が転動するボール摺動溝２３、２３を有している。  
そして、上下折曲縁２１、２１の後端縁には、中間メンバー２の最大引出し時に、前端部が前記固定側メンバー１のリテーナー前ストッパーに当接したリテーナー１２の後端に当接して、中間メンバー２の最大引出し量を規制するリテーナー後ストッパー２５、２５（図５）が形成され、基板２０の後端部所定位置に、移動側メンバー３が最大収納状態となった時、ボールリテーナー４の後端部が当接するボールリテーナー後端ストッパー（図示せず。）が形成され、移動側メンバー３が最大引出し位置に達した状態で、ボールリテーナー４の先端部が当接して停止するボールリテーナー前端ストッパー（図示せず。）が基板２０の前端部に形成されている。
【００２０】
移動側メンバー３は、固定側メンバー１とほぼ同長に形成され、ボールリテーナー４に保持されたボール４４・・・を介して摺動自在な大きさで、金属製の細条板の短手両端部を外向き円弧状に折り曲げて形成された、外面長手方向にボール４４・・の摺動面３３、３３を有する上下折曲縁３１、３１と基板３０より断面略Ｃ字型に形成されている。
そして、中間メンバー２に対し、引出し方向に摺動し、最大引出し位置に達した状態で、移動側メンバー３の後端部に形成した移動側メンバー後端ストッパー３４が、ボールリテーナー４の後端に当接して停止し、ボールリテーナー４の前端が中間メンバー２のボールリテーナー前端ストッパーに当接して停止する。
符号３５は後記する保持部材７に対応して、摺動面３３の後端部に形成された係合凹部を示している。
【００２１】
ボールリテーナー４は、帯状金属板にて中間メンバー２の半分程度の長さとし、前記中間メンバー２と移動側メンバー３の基板２０、３０間に挿入可能な大きさのコ字形基板４０と、コ字形基板４０の両端部よりＬ字形に突出し、中間メンバー２と移動側メンバー３の各上下折曲縁２１、２１、３１、３１間に位置する上下突出縁４１、４１より断面略コ字形に形成され、上下突出縁４１、４１の摺動方向に複数個のボール４４・・・を回転自在に保持している。
【００２２】
保持部材７（図４）は、固定側メンバー１の後端部に連結される連結基部７１と、連結基部７１の固定側メンバー１の上下折曲縁１１、１１側の端部前面より前方に突出し、移動側メンバー３の摺動面３３、３３の外方に位置するよう連結基部７１に連設された保持脚部８、８と、連結基部７１の固定側メンバー１の基板１０側端部より保持脚部８、８と所定間隔を有して前方に突出する連結基部７１に連設された取付基板７２より合成樹脂材にて一体に形成され、保持力調整手段９を有している。
【００２３】
連結基部７１は、固定側メンバー１の後端突壁１５が嵌入する嵌入孔７１１を中央部に有し、嵌入孔７１１は固定側メンバー１の基板１０側端部に取付時の容易さを図る案内傾斜孔７１２（図７）を有している。
そして、連結基部７１の固定側メンバー１の上下折曲縁１１、１１側端部に、固定側メンバー１の基板１０側端部から上下折曲縁１１、１１の端部方向に突出し、連結基部７１が固定側メンバー１の後端突壁１５に連結された状態で、端部が上下折曲縁１１、１１の端部内面に当接し、保持部材７の後端突壁１５からの抜け止めを行う弾性傾斜翼片７１３、７１３が一体に形成されている。
【００２４】
以下、保持脚部８、８は、対向して対称形に形成されているので一方側についてのみ説明する。
保持脚部８は、移動側メンバー３の摺動面３３の外側に近接し、所定の弾性を有する弾性脚体８１と、弾性脚体８１の前端部で移動側メンバー３の基板３寄りに位置し、移動側メンバー３が固定側メンバー１に収納された状態で、移動側メンバー３の摺動面３３の後端部で基板３０よりに形成された係合凹部３５に係合する係合突起８２より構成されている。
弾性脚体８１は、移動側メンバー３の摺動面３３側は摺動面３３に沿った形状をなし、係合突起８２は、連結基部７１側に引き込み傾斜面８２１を有し、移動側メンバー３の収納時、折曲縁３１の後端面隅部が接触し、弾性脚体８１を弾性に抗して変移させる変移案内傾斜面８２２を引き込み傾斜面８２１の反対側に有し、係合凹部３５は、係合突起８２の引き込み傾斜面８２１に対応して後部傾斜面３５１を後端部側に有して、移動側メンバー３が収納される時、引き込み傾斜面８２１と弾性脚体８１の弾性によって移動側メンバー３は収納方向に引き込まれる。
【００２５】
取付基板７２は、固定側メンバー１の基板１０の内面に当接して引出し方向に突出し、前端部分に、固定側メンバー１に中間メンバー２が収納された時、基板２０の後端面が当接すると共に、収納時の衝撃を緩和する緩衝弾性部７２１、７２１が一体に形成されている。
保持力調整手段９は、対向する保持脚部８、８（弾性脚体８１、８１）の弾性基点を移動側メンバー３の摺動方向で選択可能とした脚部保持部材９１と、脚部保持部材９１を所定位置で維持する保持機構９２より構成されている。
脚部保持部材９１は、取付基板７２と弾性脚体８１、８１間に位置する操作用基部９１１と、操作用基部９１１の弾性脚体８１、８１側の両端部に連設され、弾性脚体８１、８１の外側に突出する脚体押さえ突部９１２、９１２より構成されている。
符号９１３は、脚部保持部材９１を移動側メンバー３の摺動方向に移動させるための操作用基部９１１に形成された操作用凹部を示している。
保持機構９２は弾性脚体８１、８１に形成された嵌合凹部８１０・・と脚体押さえ突部９１２、９１２に形成された嵌合凹部８１０・・・に嵌合する嵌合突部９１４、９１４より構成されている。
【００２６】
第１実施例は上記の如く構成され、移動側メンバー３を収納方向に移動させると、中間メンバー２と共に移動側メンバー３は固定側メンバー１に収納されて、やがて、中間メンバー２の基板２０の後端面が、固定側メンバー１に取付けられた保持部材７の取付基板７２に形成した緩衝弾性部７２１、７２１の前端面に当接して中間メンバー２は摺動を停止する。
【００２７】
更に移動側メンバー３を収納させていくと、移動側メンバー３の摺動面３３の後端部が、係合突起８２の変移案内傾斜面８２２に接触し、弾性脚体８１の弾性に抗して係合突起８２を変移させながら収納方向に摺動し、やがて、係合突起８２の引き込み傾斜面８２１に係合凹部３５の後部傾斜面３５１が接触し、引き込み傾斜面８２１と弾性脚体８１の弾性によって移動側メンバー３は収納方向に引き込まれる。
【００２８】
この時、弾性脚体８１、８１は、脚体押さえ突部９１２、９１２の嵌合突部９１４、９１４と弾性脚体８１、８１の嵌合凹部８１０、８１０の位置が弾性変移の基点となる。
すなわち、弾性変移の基点と係合突部８２までの寸法が短くなれば、より強い弾性を生じ、長くなれば、弾性が弱くなるので、スライドレール１００の使用目的（移動側メンバー３に取付けられる機器の重量あるいは種類等）によって、脚部保持部材９１を移動側メンバー３の摺動方向に移動させ、適宜位置の嵌合凹部８１０、８１０に嵌合突部９１４、９１４を嵌合させると良い。
又、連結基部７１の前端からの寸法が互いに異なる位置の嵌合凹部８１０、８１０を選択して嵌合突部９１４、９１４を嵌合させることで、より細かな保持力の調整が可能である。
そして、移動側メンバー３をさらに収納方向に摺動させると、移動側メンバー３の移動側メンバー後端ストッパー３４が保持部材７の連結基板７１に当接して移動側メンバーの３の摺動は停止し、移動側メンバー３は固定側メンバー１に最も収納された状態となる。
【００２９】
上記の状態より、移動側メンバー３を引きだすと、係合突起８２の引き込み傾斜面８２１に係合凹部３５の後部傾斜面３５１が接触するが、弾性脚体８１の弾性に抗して強く引き出す事で係合突起８２を移動側メンバー３の摺動面３３に接触するまで弾性変移させる。
その後、さらに移動側メンバー３を引き出すと、係合突起８２は移動側メンバー３の摺動面３３、３３を通過して通常位置に復帰した状態となり、やがて移動側メンバー３の移動側メンバー後端ストッパー３４が、ボールリテーナー４の後端に当接して、移動側メンバー３はボールリテーナー４に対して停止する。
さらに続けて移動側メンバー３を引き出すと、ボールリテーナー４の前端は中間メンバー２のボールリテーナー前端ストッパーに当接し、中間メンバー２のリテーナー後ストッパー２５がリテーナー１２の後端に当接し、リテーナー１２の前端が固定側メンバー１のリテーナー前ストッパーに当接して、スライドレール１００は最大伸長状態となる。
尚、実施例では、スライドレール１００を、固定側メンバー１、中間メンバー２、移動側メンバー３より構成しているが、中間メンバーを無くして固定側メンバーと移動側メンバーより構成しても良い事は云うまでもない。
【００３０】
次に第２実施例について説明する。（図１０〜図１４）
尚、第１実施例と同符号を付したものは、第１実施例の構成と同一の構成であるのでその詳細な説明は省略する。
第２実施例のスライドレール１００は、固定側メンバー１と、固定側メンバー１にリテーナー１２、ボール１３・・・を介して摺動自在に保持された中間メンバー２と、ボールリテーナー４に回転自在に保持されたボール４４・・・を介して中間メンバー２に摺動自在に保持された移動側メンバー３より構成され、固定側メンバー１の後端部に第２実施例の保持部材５が取付けられている。
第２実施例の保持部材５（図１０）は、固定側メンバー１の後端部に連結される連結基部５１と、連結基部５１の固定側メンバー１の上下折曲縁１１、１１側の端部前面より前方に突出し、移動側メンバー３の摺動面３３、３３の外方に位置するよう連結基部５１に連設された保持脚部５０、５０と、連結基部５１の固定側メンバー１の基板１０側端部より保持脚部５０、５０と所定間隔を有して前方に突出する連結基部５１に連設された取付基板５２より合成樹脂材にて一体に形成され、保持力調整手段６を有している。
【００３１】
連結基部５１は、固定側メンバー１の後端突壁１５が嵌入する嵌入孔５１１を中央部に有し、嵌入孔５１１は固定側メンバー１の基板１０側端部に取付時の容易さを図る案内傾斜孔５１２（図７）を有している。
そして、連結基部５１の固定側メンバー１の上下折曲縁１１、１１側端部に、固定側メンバー１の基板１０側端部から上下折曲縁１１、１１の端部方向に突出し、連結基部５１が固定側メンバー１の後端突壁１５に連結された状態で、端部が上下折曲縁１１、１１の端部内面に当接し、保持部材５の後端突壁１５からの抜け止めを行う弾性傾斜翼片５１３、５１３が一体に形成されている。
【００３２】
以下、保持脚部５０、５０は、対向して対称形に形成されているので一方側についてのみ説明する。
保持脚部５０は、移動側メンバー３の摺動面３３の外側に近接し、所定の弾性を有する弾性脚体５０１と、弾性脚体５０１の前端部で移動側メンバー３の摺動面３３寄りに位置し、移動側メンバー３が固定側メンバー１に収納された状態で、移動側メンバー３の摺動面３３の後端部で基板３０よりに形成された係合凹部３５に係合する係合突起５０２より構成されている。
弾性脚体５０１は、移動側メンバー３の摺動面３３側は摺動面３３に沿った形状をなし、摺動面３３の反対側には後記する脚部保持部材６１の滑動面５０３が形成されている。
係合突起５０２は、連結基部５１側に引き込み傾斜面５２１を有し、移動側メンバー３の収納時、折曲縁３１の後端面隅部が接触し、弾性脚体５０１を弾性に抗して弾性変移させる変移案内傾斜面５２２を引き込み傾斜面５２１の反対側に有し、係合凹部３５は、係合突起５０２の引き込み傾斜面５２１に対応して後部傾斜面３５１を後端部側に有して、移動側メンバー３が収納される時、引き込み傾斜面５２１と弾性脚体５０１の弾性によって移動側メンバー３は収納方向に引き込まれる。
【００３３】
取付基板５２は、固定側メンバー１の基板１０の内面に当接して引出し方向に突出し、前端部分に、固定側メンバー１に中間メンバー２が収納された時、基板２０の後端面が当接すると共に、収納時の衝撃を緩和する緩衝弾性部５２５、５２５が一体に形成されている。
保持力調整手段６は、対向する保持脚部５０、５０（弾性脚体５０１、５０１）の弾性基点を移動側メンバー３の摺動方向で選択可能とした脚部保持部材６１と、脚部保持部材６１を所定位置で維持する保持機構６２より構成されている。
脚部保持部材６１は、取付基板５２と弾性脚体５０１、５０１間に位置する操作用基部６１１と、操作用基部６１１の弾性脚体５０１、５０１側の両端部に連設され、弾性脚体５０１、５０１の滑動面５０３、５０３側に突出して接触する脚体押さえ突部６１２、６１２より構成されている。
【００３４】
符号６１３は、脚部保持部材６１を移動側メンバー３の摺動方向に移動させるための操作用基部６１１に形成された操作用凹部を示している。
保持機構６２は、取付基板５２の移動側メンバー３の摺動方向に形成された段階凹部６２１・・・と、脚部保持部材６１の操作用基部６１１に形成された段階凹部６２１・・・に嵌合する嵌合突条６２３より構成されている。
すなわち、取付基板５２に設けた段階凹部６２１・・・と操作用基部６１１の嵌合突条６２３で保持機構６２を構成しているので、移動側メンバー３の摺動方向にわたって、段階凹部６２１・・・を広範囲に渡って形成することで保持力の微細な調節が可能である。
【図面の簡単な説明】
【００３５】
【図１】本発明の第１実施例を具備したスライドレールの斜視図
【図２】本発明の第１実施例を具備したスライドレール要部拡大正面図
【図３】図２のＡ−Ａ線要部断面図
【図４】第１実施例の保持部材の斜視図
【図５】図２のＢ−Ｂ線要部断面図
【図６】図２のＣ−Ｃ線要部断面図
【図７】図２のＤ−Ｄ線要部断面図
【図８】本発明の第２実施例を具備したスライドレールの斜視図
【図９】本発明の第２実施例を具備したスライドレール要部拡大正面図
【図１０】第２実施例の保持部材の斜視図
【図１１】図９のＥ−Ｅ線要部断面図
【図１２】図９のＦ−Ｆ線要部断面図
【図１３】図９のＧ−Ｇ線要部断面図
【図１４】図１３のＨ部拡大図
【符号の説明】
【００３６】
１              固定側メンバー
１００          スライドレール
２              中間メンバー
３              移動側メンバー
３５            係合凹部
５、７          保持部材
６、９          保持力調整手段
６１、９１      脚部保持部材
６１２、９１２  脚体押え突部
６２、９２      保持機構
６２１          段階凹部
６２３          嵌合突条
８、５０        保持脚部
８１、５０１    弾性脚体
８２、５０２    係合突起
９１４          嵌合突部
【図１】
0004699705.tif 000002
【図２】
0004699705.tif 000003
【図３】
0004699705.tif 000004
【図４】
0004699705.tif 000005
【図５】
0004699705.tif 000006
【図６】
0004699705.tif 000007
【図７】
0004699705.tif 000008
【図８】
0004699705.tif 000009
【図９】
0004699705.tif 000010
【図１０】
0004699705.tif 000011
【図１１】
0004699705.tif 000012
【図１２】
0004699705.tif 000013
【図１３】
0004699705.tif 000014
【図１４】
0004699705.tif 000015